【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
補助ユーザーインターフェースデバイスと互換性のある送信コントローラであって、該送信コントローラは、
１つ以上の作動パラメータを備えるメモリと、
模型乗り物を制御するための制御ユーザーインターフェースと、
前記補助ユーザーインターフェースデバイスに接続するための補助ユーザーインターフェースコネクタと、
送信コントローラプロセッサとを備え、該送信コントローラプロセッサは、
前記１つ以上の作動パラメータを前記補助ユーザーインターフェースデバイスに送信し、
前記補助ユーザーインターフェースデバイスからのパラメータ命令に従って、前記送信コントローラのメモリ内の前記１つ以上の作動パラメータを変更し、
前記制御ユーザーインターフェースからの制御命令を受信し、
前記制御命令および前記１つ以上の作動パラメータに基づき、出力信号を決定し、
前記出力信号を前記模型乗り物に送信するようになっている、前記送信コントローラ。
【請求項２】
前記送信コントローラが、前記補助ユーザーインターフェースコネクタに接続されているときに、前記補助ユーザーインターフェースデバイスを前記送信コントローラに固定するようになっているドックを更に備える、請求項１に記載の送信コントローラ。
【請求項３】
前記ドックは、前記送信コントローラのベース内に凹部を備える、請求項１に記載の送信コントローラ。
【請求項４】
前記補助ユーザーインターフェースコネクタは、無線トランシーバを備える、請求項１に記載の送信コントローラ。
【請求項５】
前記制御ユーザーインターフェースは、前記模型乗り物のステアリングおよびスロットルを制御する、請求項１に記載の送信コントローラ。
【請求項６】
前記１つ以上の作動パラメータはサーボ反転パラメータを含む、請求項１に記載の送信コントローラ。
【請求項７】
前記１つ以上の作動パラメータは、加速度曲線を含む、請求項１に記載の送信コントローラ。
【請求項８】
前記送信コントローラが模型乗り物への無線リンクを備え、前記送信コントローラプロセッサは、前記補助ユーザーインターフェースデバイスからの命令に従って、前記１つ以上の作動パラメータを変更するようになっている、請求項１に記載の送信コントローラ。
【請求項９】
前記制御ユーザーインターフェースが前記模型乗り物を制御するように作動でき、前記送信コントローラプロセッサは、前記補助ユーザーインターフェースデバイスからの命令に従って、前記１つ以上の作動パラメータを変更するようになっている、請求項１に記載の送信コントローラ。
【請求項１０】
前記送信コントローラプロセッサは、
前記模型乗り物からの遠隔測定信号を受信し、
前記遠隔測定信号を前記補助ユーザーインターフェースデバイスに提供するようになっている、請求項１に記載の送信コントローラ。
【請求項１１】
前記遠隔測定信号は、モータの温度、モータのＲＰＭ、乗り物の速度、バッテリー電圧および燃料レベルから成る群のうちの１つを示す、請求項１０に記載の送信コントローラ。
【請求項１２】
前記補助ユーザーインターフェースデバイスは、ポータブル電子デバイスを備える、請求項１に記載の送信コントローラ。
【請求項１３】
前記補助ユーザーインターフェースデバイスは、携帯電話を備える、請求項１に記載の送信コントローラ。
【請求項１４】
前記補助ユーザーインターフェースデバイスは、パーソナルデジタルアシスタント（ＰＤＡ）を備える、請求項１に記載の送信コントローラ。
【請求項１５】
前記補助ユーザーインターフェースデバイスは、デジタルミュージックプレイヤーを備える、請求項１に記載の送信コントローラ。
【請求項１６】
前記補助ユーザーインターフェースデバイスは、前記送信コントローラよりも小さい物理的容積を有する、請求項１に記載の送信コントローラ。
【請求項１７】
前記プロセッサは、前記１つ以上の作動パラメータに基づき、少なくとも前記制御信号を変更するかどうかを判断することにより、出力信号を決定するようになっている、請求項１に記載の送信コントローラ。
【請求項１８】
前記プロセッサは、前記１つ以上の作動パラメータに基づき、少なくともどのように制御信号を変更するかを判断することにより、出力信号を決定するようになっている、請求項１に記載の送信コントローラ。
【請求項１９】
前記１つ以上の作動パラメータを変更するための、内蔵されたパラメータユーザーインターフェースを更に備える、請求項１に記載の送信コントローラ。
【請求項２０】
前記補助ユーザーインターフェースデバイスが前記補助ユーザーインターフェースコネクタに接続されているときに、前記内蔵されたパラメータユーザーインターフェースの少なくとも一部が、作動不能となる、請求項１９に記載の送信コントローラ。
【請求項２１】
補助ユーザーインターフェースデバイスを用いて操作する方法であって、
送信コントローラと模型乗り物との間に無線リンクを形成するステップと、
前記送信コントローラのメモリ内に少なくとも１つの作動パラメータを記憶するステップと、
前記送信コントローラに補助ユーザーインターフェースデバイスを接続するステップと、
前記補助ユーザーインターフェースデバイスに前記少なくとも１つの作動パラメータを送信するステップと、
前記補助ユーザーインターフェースデバイスからパラメータ命令を受信するステップと、
前記パラメータ命令に従って、前記送信コントローラのメモリ内の前記少なくとも１つの作動パラメータを変更するステップと、
前記送信コントローラの制御ユーザーインターフェースから制御命令を受信するステップと、
前記制御命令および前記少なくとも１つの作動パラメータに基づき、出力信号を決定するステップと、
前記無線リンクを通して前記模型乗り物に前記出力信号を送信するステップとを備える、操作方法。
【請求項２２】
前記送信コントローラの内蔵されたパラメータユーザーインターフェースを作動させるステップと、
前記内蔵されたパラメータユーザーインターフェースの作動に従い、前記少なくとも１つの作動パラメータを変更するステップとを更に備える、請求項２１に記載の方法。
【請求項２３】
前記補助ユーザーインターフェースデバイスを前記送信コントローラに接続するステップは、
無線接続を通して、前記補助ユーザーインターフェースデバイスを前記送信コントローラに接続することを含む、請求項２１に記載の方法。
【請求項２４】
前記送信コントローラのメモリ内の前記少なくとも１つの作動パラメータを変更するステップは、
前記模型乗り物と無線リンクしている間に生じる、請求項２１に記載の方法。
【請求項２５】
補助ユーザーインターフェースデバイスと互換性のある送信コントローラであって、該送信コントローラは、
複数の作動パラメータを備えるメモリと、
模型乗り物を制御するための制御ユーザーインターフェースと、
前記補助ユーザーインターフェースデバイスに接続するための補助ユーザーインターフェースコネクタと、
送信コントローラプロセッサとを備え、該送信コントローラプロセッサは、
前記補助ユーザーインターフェースデバイスからの読み出しコマンドを受信し、前記読み出しコマンドは、前記送信コントローラプロセッサに、前記補助ユーザーインターフェースデバイスに前記メモリ内の特定の作動パラメータの値を提供するように命令するものであり、
前記読み出しコマンドに応答して、前記特定の作動パラメータを前記補助ユーザーインターフェースデバイスに送信し、
前記補助ユーザーインターフェースデバイスからの書き込みコマンドを受信し、前記書き込みコマンドは、前記送信コントローラプロセッサに、前記メモリ内の前記特定の作動パラメータの値を変更するように命令するものであり、
前記書き込みコマンドに応答して、前記メモリ内の前記特定の作動パラメータの値を変更し、
前記制御ユーザーインターフェースからの制御命令を受信し、
前記制御命令および少なくとも１つの前記複数の作動パラメータに基づき、出力信号を決定し、
前記出力信号を前記模型乗り物に送信するようになっている、前記送信コントローラ。
【請求項２６】
前記送信コントローラが、前記補助ユーザーインターフェースコネクタに接続されているときに、前記補助ユーザーインターフェースデバイスを前記送信コントローラに固定するようになっているドックを更に備える、請求項２５に記載の送信コントローラ。
【請求項２７】
前記ドックは、前記送信コントローラのベース内に凹部を備える、請求項２５に記載の送信コントローラ。
【請求項２８】
前記補助ユーザーインターフェースコネクタは、無線トランシーバを備える、請求項２５に記載の送信コントローラ。
【請求項２９】
前記制御ユーザーインターフェースは、前記模型乗り物のステアリングおよびスロットルを制御する、請求項２５に記載の送信コントローラ。
【請求項３０】
前記１つ以上の作動パラメータはサーボ反転パラメータを含む、請求項２５に記載の送信コントローラ。
【請求項３１】
前記１つ以上の作動パラメータは、加速度曲線を含む、請求項２５に記載の送信コントローラ。
【請求項３２】
前記送信コントローラが模型乗り物への無線リンクを備え、前記送信コントローラプロセッサは、前記補助ユーザーインターフェースデバイスからの命令に従って、前記１つ以上の作動パラメータを変更するようになっている、請求項２５に記載の送信コントローラ。
【請求項３３】
前記制御ユーザーインターフェースが前記模型乗り物を制御するように作動でき、前記送信コントローラプロセッサは、前記補助ユーザーインターフェースデバイスからの命令に従って、前記１つ以上の作動パラメータを変更するようになっている、請求項２５に記載の送信コントローラ。
【請求項３４】
前記送信コントローラプロセッサは、
前記模型乗り物からの遠隔測定信号を受信し、
前記遠隔測定信号を前記補助ユーザーインターフェースデバイスに提供するようになっている、請求項２５に記載の送信コントローラ。
【請求項３５】
前記遠隔測定信号は、モータの温度、モータのＲＰＭ、乗り物の速度、バッテリー電圧および燃料レベルから成る群のうちの１つを示す、請求項３４に記載の送信コントローラ。
【請求項３６】
前記補助ユーザーインターフェースデバイスは、ポータブル電子デバイスを備える、請求項２５に記載の送信コントローラ。
【請求項３７】
前記補助ユーザーインターフェースデバイスは、携帯電話を備える、請求項２５に記載の送信コントローラ。
【請求項３８】
前記補助ユーザーインターフェースデバイスは、パーソナルデジタルアシスタント（ＰＤＡ）を備える、請求項２５に記載の送信コントローラ。
【請求項３９】
前記補助ユーザーインターフェースデバイスは、デジタルミュージックプレイヤーを備える、請求項２５に記載の送信コントローラ。
【請求項４０】
前記補助ユーザーインターフェースデバイスは、前記送信コントローラよりも小さい物理的容積を有する、請求項２５に記載の送信コントローラ。
【請求項４１】
前記プロセッサは、前記１つ以上の作動パラメータに基づき、少なくとも前記制御信号を変更するかどうかを判断することにより、出力信号を決定するようになっている、請求項２５に記載の送信コントローラ。
【請求項４２】
前記プロセッサは、前記１つ以上の作動パラメータに基づき、少なくともどのように制御信号を変更するかを判断することにより、出力信号を決定するようになっている、請求項２５に記載の送信コントローラ。
【請求項４３】
前記１つ以上の作動パラメータを変更するための、内蔵されたパラメータユーザーインターフェースを更に備える、請求項２５に記載の送信コントローラ。
【請求項４４】
前記補助ユーザーインターフェースデバイスが前記補助ユーザーインターフェースコネクタに接続されているときに、前記内蔵されたパラメータユーザーインターフェースの少なくとも一部が、作動不能となる、請求項４３に記載の送信コントローラ。
【請求項４５】
補助ユーザーインターフェースデバイスを用いて操作する方法であって、
送信コントローラと模型乗り物との間に無線リンクを形成するステップと、
前記送信コントローラのメモリ内に複数の作動パラメータを記憶するステップと、
前記送信コントローラに補助ユーザーインターフェースデバイスを接続するステップと、
前記補助ユーザーインターフェースデバイスからの読み出し命令を受信するステップであって、前記読み出し命令は、前記送信コントローラ・プロセッサに、前記補助ユーザーインターフェースデバイスに前記メモリ内の特定の作動パラメータの値を提供する命令を含む、前記受信するステップと、
前記読み出し命令に応答して、前記特定の作動パラメータを前記補助ユーザーインターフェースデバイスに送信するステップと、
前記補助ユーザーインターフェースデバイスからの書き込みコマンドを受信するステップであって、前記書き込みコマンドは、前記メモリ内の前記特定の作動パラメータの値を変更する命令を含む、前記受信するステップと、
前記書き込みコマンドに応答して、前記メモリ内の前記特定の作動パラメータの値を変更するステップと、
前記送信コントローラの制御ユーザーインターフェースから制御命令を受信するステップと、
前記制御命令および前記少なくとも１つの作動パラメータに基づき、出力信号を決定するステップと、
前記無線リンクを通して前記模型乗り物に前記出力信号を送信するステップとを備える、操作方法。
【請求項４６】
前記送信コントローラの内蔵されたパラメータユーザーインターフェースを作動させるステップと、
前記内蔵されたパラメータユーザーインターフェースの作動に従い、前記少なくとも１つの作動パラメータを変更するステップとを更に備える、請求項４５に記載の方法。
【請求項４７】
前記補助ユーザーインターフェースデバイスを前記送信コントローラに接続するステップは、
無線接続を通して、前記補助ユーザーインターフェースデバイスを前記送信コントローラに接続することを含む、請求項４５に記載の方法。
【請求項４８】
前記送信コントローラのメモリ内の前記少なくとも１つの作動パラメータを変更するステップは、
前記模型乗り物と無線リンクしている間に生じる、請求項４５に記載の方法。